(57)【要約】【課題】  水分散型蛍光増白剤を、均一に粉末洗剤、特に非イオン界面活性剤を多量に含有する組成の粉末洗剤に均一に配合でき、更に漂白剤を含有する組成においても、蛍光増白剤の経時的な劣化を防止できる粉末洗剤の製造方法を提供する。【解決手段】  （ａ）水分散型蛍光増白剤及び（ｂ）融点５０℃以上の水溶性高分子化合物を含有する分散液を製造し、該分散液を衣料用粉末洗剤の構成成分に添加して、蛍光増白剤含有衣料用粉末洗剤を製造する。【選択図】  なし【特許請求の範囲】
【請求項１】
（ａ）水分散型蛍光増白剤及び（ｂ）融点５０℃以上の水溶性高分子化合物を含有する分散液を、衣料用粉末洗剤の構成成分に添加する工程を有する、蛍光増白剤含有衣料用粉末洗剤の製造方法。
【請求項２】
衣料用粉末洗剤の構成成分の少なくとも一部がスラリーを噴霧乾燥して得られた噴霧乾燥粒子である請求項１記載の製造方法。
【請求項３】
スラリー中の界面活性剤含有量が４５質量％以下である請求項２記載の製造方法。
【請求項４】
（ｃ）非イオン界面活性剤を、前記噴霧乾燥粒子に添加する工程を有する請求項２又は３記載の製造方法。
【請求項５】
（ｂ）と（ｃ）の質量比が（ｂ）／（ｃ）＝１／１０〜２／１である請求項４記載の製造方法。
【請求項６】
前記衣料用粉末洗剤の構成成分として、（ｄ）陰イオン界面活性剤を含有する請求項１〜５の何れか１項記載の製造方法。
【請求項７】
前記衣料用粉末洗剤の構成成分として、界面活性剤を１５〜４０質量％含有する請求項１〜６の何れか１項記載の製造方法。
【請求項８】
前記界面活性剤中の（ｃ）非イオン界面活性剤の比率が１０〜５０質量％である請求項７記載の製造方法。
【請求項９】
前記衣料用粉末洗剤の構成成分として、水溶性蛍光増白剤を含有する請求項１〜８の何れか１項記載の製造方法。
【請求項１０】
前記分散液を前記衣料用粉末洗剤の構成成分に添加した後、（ｅ）水中で過酸化水素を放出する化合物及び（ｆ）水中で過酸化水素と反応して有機過酸を発生する化合物を添加する工程を有する請求項１〜９の何れか１項記載の製造方法。
【請求項１１】
（ｂ）が、重量平均分子量３０００〜５００００のポリアルキレングリコールである請求項１〜１０の何れか１項記載の製造方法。
【発明の詳細な説明】
【技術分野】
【０００１】
本発明は、水分散型蛍光増白剤を含有する衣料用粉末洗剤の製造方法に関する。
【背景技術】
【０００２】
従来、粉末洗剤等に配合される蛍光増白剤には、水溶性の高いもの（例えばビフェニル型蛍光増白剤）と水分散型のもの（例えばアミノスチルベン型蛍光増白剤）が知られている。このうち、水分散型蛍光増白剤の利点として、安価である、質量当たりの蛍光強度が高い、セルロースに対する染着性が高い、非イオン界面活性剤存在下での染着性の低下が少ない、等が挙げられる。
【０００３】
通常、このような水分散型蛍光増白剤を粉末洗剤に配合するには、界面活性剤を含有するスラリーに水分散型蛍光増白剤を配合して分散させ、これを噴霧乾燥する方法が採られる。しかし、非イオン界面活性剤をスラリー中に多量に添加すると、噴霧乾燥粒子の粘着性が増すため、例えば、洗浄力の増強等の目的で、粉末洗剤中の非イオン界面活性剤の比率を高めたい場合、非イオン界面活性剤はスラリーではなく、噴霧乾燥粒子に後添加されるのが一般的である。その場合、スラリー中の界面活性剤濃度が相対的に低減されるため、水分散型蛍光増白剤を均一に分散させることが困難となる。従って、非イオン界面活性剤濃度を高めた組成において、水分散型の蛍光増白剤を均一に分散配合させることは困難である。
【０００４】
一方、水分散型のアミノスチルベン型蛍光増白剤を粉末のまま添加することも考えられるが、近年増加傾向にある漂白剤含有組成では、蛍光増白剤の経時的な劣化を十分に抑制することが困難となる。
【０００５】
このような背景から、水分散型の蛍光増白剤を粉末洗剤に配合する技術として、特許文献１には、平均分子量２００〜２０００のポリエチレングリコール及び／又は非イオン界面活性剤に水分散型のアミノスチルベン型蛍光増白剤を分散させて、該分散液を洗剤構成成分に噴霧しながら造粒あるいは混合する方法が開示されている。
【０００６】
また、特許文献２〜４には、非イオン界面活性剤に蛍光増白剤を溶解ないし分散させ、これと他の洗剤成分とを造粒する方法が開示されている。
【０００７】
また、特許文献５には、蛍光増白剤と他の粉末洗剤成分に、非イオン界面活性剤を導入して得た造粒物に、平均分子量１２０００のポリエチレングリコール溶融物を添加して得た洗剤生地と、漂白剤成分を混合する方法が開示されている。
【特許文献１】特開２０００−９６０９４号公報
【特許文献２】特開平７−２８６１９８号公報
【特許文献３】特開平９−２４１６９５号公報
【特許文献４】特表平９−５０６１２２号公報
【特許文献５】特開平９−３１００９７号公報
【発明の開示】
【発明が解決しようとする課題】
【０００８】
しかしながら、前記特許文献１の方法では、低凝固点の高分子化合物を用いているため、最終洗剤粒子から非イオン界面活性剤が染み出すのを十分に抑制できないという問題が生じる。また、前記特許文献２〜４でも、同様に非イオン界面活性剤の染み出しを十分に抑制できない。また、前記特許文献５の方法では、粉末洗剤中の蛍光増白剤の分散が不均一になりやすく、衣類への付着もムラが生じるという問題が生じる。このため、水分散型蛍光増白剤を、特に非イオン界面活性剤を比較的多量に含有する粉末洗剤に均一に配合できる方策が望まれていた。
【０００９】
本発明の課題は、水分散型蛍光増白剤を、均一に粉末洗剤、特に非イオン界面活性剤を多量に含有する組成の粉末洗剤に均一に配合でき、更に漂白剤を含有する組成においても、蛍光増白剤の経時的な劣化を防止できる粉末洗剤の製造方法を提供することである。
【課題を解決するための手段】
【００１０】
本発明は、（ａ）水分散型蛍光増白剤〔以下、（ａ）成分という〕及び（ｂ）融点５０℃以上の水溶性高分子化合物〔以下、（ｂ）成分という〕を含有する分散液〔以下、分散液（Ｉ）という〕を、衣料用粉末洗剤の構成成分に添加する工程〔以下、工程（Ｉ）という〕を有する、蛍光増白剤含有衣料用粉末洗剤の製造方法に関する。
【発明の効果】
【００１１】
本発明によれば、水分散型蛍光増白剤を衣料用粉末洗剤、特に非イオン界面活性剤を多く含有する組成の衣料用粉末洗剤に均一に配合でき、更に漂白剤を含有する組成においても、水分散型蛍光増白剤の経時安定性が良好となる。
【発明を実施するための最良の形態】
【００１２】
＜分散液（Ｉ）＞
本発明に用いられる分散液（Ｉ）は、（ａ）成分と（ｂ）成分を合計で０．２〜３．０質量％、更に０．４〜２．０質量％、特に０．５〜１．５質量％含有することが好ましい。通常、分散液（Ｉ）の分散媒は水であり、他の液体成分や、他の洗剤成分を含むことができる。なお、（ａ）成分は、最終粉末洗剤組成における含有量が、０．０１〜０．５質量％、更に０．０２〜０．３質量％、特に０．０５〜０．２質量％となるように用いることが好ましい。
【００１３】
（ａ）成分としては、ジモルホリノ型（スチルベン型）蛍光増白剤、ヒドロキシエチルアミノ型蛍光増白剤等が挙げられ、中でも、汎用性の観点から、ジモルホリノ型蛍光増白剤が好ましい。ジモルホリノ型蛍光増白剤には、４，４’−ビス｛（４−アニリノ−６−モルホリノ−１，３，５，−トリアジン−２−イル）アミノ｝スチルベン−２，２’−ジスルホン酸二ナトリウム塩、４，４’−ビス｛（４−トルイジノ−６−モルホリノ−１，３，５−トリアジン−２−イル）アミノ｝スチルベン−２，２’−ジスルホン酸二ナトリウム塩等が挙げられ、本発明では前者のジモルホリノ型蛍光増白剤が特に好ましい。前者のジモルホリノ型蛍光増白剤としては、Ｐｈｏｔｉｎｅ  ＣＢＵＳ−５６０Ｂ（商品名、ヒクソン社製）、ＢＲＹ−１０（商品名、マクテシム社製）、Ｔｉｎｏｐａｌ  ＤＭＳ−Ｘ（商品名、チバガイギー社製）等がある。所望により、上記の種々の水分散型蛍光増白剤を組み合わせて使用してもよい。
【００１４】
また、（ｂ）成分としては、ポリエチレングリコール、ポリビニルアルコール、ポリビニルピロリドン、ポリアクリル酸塩や、カルボキシメチルセルロースに代表されるセルロース誘導体の天然高分子化合物等が挙げられる。これらは、融点が５０℃以上、更に５５℃以上、特に６０℃以上のものが用いられる。融点の上限は、１５０℃以下、更に１２０℃以下、特に９０℃以下である。
【００１５】
中でも、近年、洗剤の製造に関する省エネルギー化が進められており、例えば、製造時の温度をできるだけ抑制する、即ち、水溶性高分子単体の融点が製造上ハンドリングし易い温度に近い、また蛍光増白剤分散液の経時安定性が良い、更には固化性に優れるという点で、重量平均分子量４０００〜４００００、更に６０００〜２００００のポリエチレングリコールが好ましい。尚、９０℃以上の融点をもつ水溶性高分子、例えばポリビニルアルコール等を使用する場合には、予め水に溶解したものを使用することができる。
【００１６】
分散液（Ｉ）は、例えば、（ａ）成分、（ｂ）成分、及び必要に応じて配合される成分、及び水を、所定量、混合槽に投入し、各成分の分布が均一となるよう撹拌して調製することができる。攪拌には、Ｔ．Ｋ．ホモミックラインミルＳ型（特殊機化工業株式会社製）などの分散機が用いられる。攪拌時の温度は、（ｂ）成分の融点以上が好ましく、混合して得られた液体成分の温度としては、６０〜９５℃が好ましく、７０〜９０℃がより好ましい。
【００１７】
分散液（Ｉ）は、（ａ）成分と（ｂ）成分等、液体成分と同時に添加、混合して調製する以外に、分散効率の点から、（ｂ）成分等の液体成分を撹拌しながら（ａ）成分に添加して調製することもできる。このとき気泡の混入により、ハンドリング性が低下した場合、脱気を行うことが好ましい。また、（ａ）成分と（ｂ）成分（溶媒）との濃度を均一にしつつ、未溶解の（ａ）成分粉末の粒径を小さくすることが好ましい。
＜工程（Ｉ）＞
工程（Ｉ）で用いられる、（ａ）成分、（ｂ）成分以外の衣料用粉末洗剤の構成成分としては、界面活性剤、例えば（ｃ）非イオン界面活性剤〔以下、（ｃ）成分という〕、（ｄ）陰イオン界面活性剤〔以下、（ｄ）成分という〕、アルカリ剤、水溶性蛍光増白剤等が挙げられる。
【００１８】
界面活性剤のうち、（ｃ）成分としては、（ｃ１）ポリオキシアルキレンアルキルエーテル、（ｃ２）ポリオキシアルキレン（好ましくはアルキレンオキサイド平均付加モル数１〜２０）アルキル（好ましくは平均炭素数６〜１２）フェニルエーテル、（ｃ３）脂肪酸（好ましくは炭素数１０〜２０）アルカノールアミド又はそのアルキレンオキサイド付加物、（ｃ４）ショ糖脂肪酸（好ましくは平均炭素数１０〜２０）エステル、（ｃ５）脂肪酸（好ましくは平均炭素数１０〜２０）グリセリンモノエステル等が挙げられる。
【００１９】
これらのうち、（ｃ１）が好ましく、（ｃ１）の具体例としては、平均炭素数１０〜２０のアルキル基またはアルケニル基を有し、平均で１〜２０モルのエチレンオキサイド（以下、ＥＯと表記する）を付加したポリオキシエチレンアルキルまたはアルケニルエーテル、平均炭素数１０〜２０のアルキル基またはアルケニル基を有し、平均で１〜２０モルのプロピレンオキサイド（以下、ＰＯと表記する）を付加したポリオキシプロピレンアルキルまたはアルケニルエーテル、平均炭素数１０〜２０のアルキル基またはアルケニル基を有し、平均で１〜２０モルのブチレンオキサイドを付加したポリオキシブチレンアルキルまたはアルケニルエーテル、平均炭素数１０〜２０のアルキル基またはアルケニル基を有し、総和で平均で１〜３０モルのＥＯとＰＯ或いはＥＯとＢＯを付加した非イオン界面活性剤（ＥＯとＰＯ又はＥＯとＢＯとの比は０．１／９．９〜９．９／０．１）等が挙げられる。
【００２０】
（ｃ）成分は、最終粉末洗剤組成における（ｂ）成分と（ｃ）成分の質量比が（ｂ）／（ｃ）＝１／１０〜１／２、更に１／９〜１／３、特に１／８〜１／４となるように用いられるのが好ましい。また、この質量比を満たした上で、（ｃ）成分は、最終粉末洗剤組成において、３〜２０質量％、更に５〜１５質量％、特に６〜１２質量％となるように用いられるのが好ましい。
【００２１】
また、（ｄ）成分としては、陰イオン界面活性剤としてアルキルベンゼンスルホン酸塩、アルキル又はアルケニルエーテル硫酸エステル塩、アルキル又はアルケニル硫酸エステル塩、α−オレフィンスルホン酸塩、α−スルホ脂肪酸塩若しくはそのエステル、アルキル又はアルケニルエーテルカルボン酸塩、脂肪酸塩等が挙げられる。対イオンとしてアルカリ金属イオンが洗浄力向上の点で好適である。
【００２２】
アルカリ剤としては、炭酸塩、珪酸塩、アミン類（アルキルアミン、アルカノールアミン等）等が挙げられ、炭酸ナトリウム、炭酸カリウム等の炭酸塩、珪酸ナトリウム等の珪酸塩が好ましい。アルカリ剤は、最終粉末洗剤の組成中、１０〜４０質量％、更に１５〜３５質量％となるように用いられるのが好ましい。
【００２３】
その他の成分としては、洗剤の分野で公知のビルダー、水溶性ポリマー、再汚染防止剤、柔軟化剤、水溶性蛍光増白剤、泡コントロール剤、酵素、酵素安定化剤、着色剤、香料等を含有させることができる。無機ビルダーとしては、結晶性アルミノ珪酸塩、非晶質アルミノ珪酸塩、結晶性珪酸ナトリウム、トリポリリン酸ナトリウム、ピロリン酸ナトリウム等が挙げられ、環境への影響や洗浄性能の点で結晶性アルミノ珪酸塩がより好ましい。結晶性アルミノ珪酸塩は、表面改質剤としても使用できる。また、水溶性ポリマーとしては、（ｂ）成分に該当する成分を、分散液（Ｉ）に配合される分とは別に使用できる。
【００２４】
工程（Ｉ）において、衣料用粉末洗剤の構成成分は、該成分を含有する粒子として用いられることが好ましい。該粒子は、前記成分の少なくとも一部をスラリー状態として噴霧乾燥したものを攪拌造粒や、転動造粒、捏和、混合造粒したものでも良いが、ポリマー及び水溶性塩類から選ばれた一種以上の水溶性成分を含有してなり、特に水溶性ポリマー及び水溶性塩類のいずれをも含有してなる噴霧乾燥粒子等の実質的に界面活性剤を含まない噴霧乾燥粒子に、１種以上の界面活性剤、特に非イオン界面活性剤を担持させることにより得られるベース粒子が、溶解性に優れるという点で好ましい。すなわち、本発明では、衣料用粉末洗剤の構成成分の少なくとも一部、すなわち構成成分中１５〜１００質量％が、スラリーを噴霧乾燥して得られた噴霧乾燥粒子であること、更に（ｃ）成分を、前記噴霧乾燥粒子に添加する工程を有することが好ましい。
【００２５】
前記粒子に、分散液（Ｉ）を添加し、通常は表面改質剤による改質を行うこと、更に後添加される成分を配合することで本発明に係る粉末洗剤が得られるが、例えば、上記の如きベース粒子を用いる場合には、界面活性剤と同時に、又はその前後いずれかに分散液（Ｉ）を噴霧等により、ベース粒子に添加する。なお、これらの噴霧乾燥方法や、添加方法については、公知の方法であれば特に限定はない。このようにして得られた洗剤粒子群に表面改質剤による改質、及び酵素、香料、後述の（ｅ）成分や（ｆ）成分等の一般的な洗剤助剤を配合して粉末洗剤が得られる。
【００２６】
表面被覆剤と工程（Ｉ）で得られた洗剤粒子〔以下、洗剤粒子（Ｉ）という〕の質量比は、表面被覆剤／洗剤粒子（Ｉ）＝１／１５〜１／３、更に１／１２〜１／４、特に１／１０〜１／４が好ましい。表面被覆剤としては、例えば、アルミノケイ酸塩、ケイ酸カルシウム、二酸化ケイ素、ベントナイト、タルク、クレイ、非晶質シリカ誘導体、結晶性ケイ酸塩等のシリケート化合物、金属石鹸、粉末の界面活性剤等の微粉体、カルボキシメチルセルロース、ポリエチレングリコール、ポリアクリル酸ソーダ、アクリル酸とマレイン酸のコポリマー又はその塩等のポリカルボン酸塩等の水溶性ポリマー、脂肪酸が挙げられる。中でも水不溶性無機物が好ましく、特に結晶性アルミノケイ酸塩、非晶質アルミノケイ酸塩、結晶性ケイ酸塩が好ましい。
【００２７】
その他、非タワー法等の噴霧乾燥を行わないプロセスで粉末洗剤を製造しても、粉末のまま蛍光増白剤を添加する場合に比べ、（ａ）成分が均一分散でき、粉末洗剤における不均一分布が起こらないという利点がある。
【００２８】
工程（Ｉ）で用いられる衣料用粉末洗剤の構成成分に添加する分散液（Ｉ）の量としては、前記構成成分の合計１００質量部に対して、０．５〜８質量部、更に１〜５質量部が好ましい。
【００２９】
また、本発明に係る衣料用粉末洗剤は、（ｅ）水中で過酸化水素を放出する化合物〔以下、（ｅ）成分という〕及び（ｆ）水中で過酸化水素と反応して有機過酸を発生する化合物〔以下、（ｆ）成分という〕を含有する組成とすることができ、この場合は、工程（Ｉ）の後に、これら（ｅ）成分及び（ｆ）成分を添加する工程〔以下、工程（II）という〕を有することが好ましい。（ｅ）成分、（ｆ）成分は、これらを含有する造粒物として工程（Ｉ）により得られた混合物に添加（いわゆるアフターブレンド）されることが好ましい。
【００３０】
（ｅ）成分としては、炭酸塩・過酸化水素付加物、硼酸塩・過酸化水素付加物、トリポリリン酸塩・過酸化水素付加物、ピロリン酸塩・過酸化水素付加物、尿素・過酸化水素付加物等が挙げられる。この中でも、炭酸塩・過酸化水素付加物、硼酸塩・過酸化水素付加物が好ましく、炭酸ナトリウム・過酸化水素付加物、硼酸ナトリウム・過酸化水素付加物がより好ましく、洗浄性能の点で炭酸ナトリウム・過酸化水素付加物が更に好ましい。（ｅ）成分は、最終粉末洗剤の組成中、１．５〜１５質量％、更に２〜１２質量％、特に２〜１０質量％となるように用いられるのが好ましい。
【００３１】
また、（ｆ）成分としては、酸素系漂白剤含有洗剤に一般的に用いられる、グルコースペンタアセテート、トリアセチン、Ｎ，Ｎ，Ｎ’，Ｎ’−テトラアセチルエチレンジアミン、テトラアセチルグリコリルウリル等の漂白活性化剤を使用することができるが、効果の点で、下記一般式（ｆ１）〜（ｆ４）で表される化合物の一種以上が特に好ましい。（ｆ）成分は、最終粉末洗剤の組成中、０．１〜１５質量％、更に０．２〜１３質量％、特に０．２〜１０質量％となるように用いられるのが好ましい。
【００３２】
【化１】
2005146101.tif 000002
【００３３】
〔式中、Ｒ1は炭素数４〜１３、好ましくは１０〜１３のアルキル基、Ｒ2は炭素数５〜１３、好ましくは７〜１１のアルキル基、Ｍは水素原子又はアルカリ金属、アルカリ土類金属、アンモニウム若しくはアルカノールアミンを示す。〕
【００３４】
【化２】
2005146101.tif 000003
【００３５】
〔式中、Ｒ3、Ｒ4、Ｒ5、Ｒ6、Ｒ7、Ｒ9、Ｒ10はそれぞれ独立してメチル基、エチル基又はヒドロキシエチル基であり、Ｒ8は炭素数２〜１０のアルキレン基であり、Ｘ-は陰イオン、好ましくはハロゲンイオン、炭素数１〜３のアルキル硫酸イオン、炭素数１〜１２の脂肪酸イオン、リン酸イオン、硫酸イオンを示す。〕
本発明により得られた衣料用粉末洗剤の好ましい最終組成としては、界面活性剤の総量が１５〜２５質量％のもの、嵩密度が０．６〜１．０ｇ／ｃｍ3のものが挙げられる。このような範囲となるように、分散液（Ｉ）の組成や洗剤の構成成分（粒子）の組成を調整することが好ましい。
【００３６】
本発明の方法により粉末洗剤を製造する具体的な手順を説明する。
（１）アルカリ剤、ビルダー等を含有する水スラリーを調製する。該スラリーは、界面活性剤、特に非イオン界面活性剤の含有量が４５質量％以下であることが好ましい。本発明の製造方法では、該スラリー中の界面活性剤、特に非イオン界面活性剤の含有量が少ない場合、すなわち１５質量％以下である場合に特に有益である。水分散型蛍光増白剤をスラリーに均一に分散させることが困難になるからである。
（２）上記スラリーを噴霧乾燥して噴霧乾燥粒子を得る。
（３）上記噴霧乾燥粒子に、界面活性剤を担持させる。界面活性剤は、非イオン界面活性剤、陰イオン界面活性剤等を含有する水溶液（水分散液）として用いられることが好ましい。
（４）（ａ）成分及び（ｂ）成分を含有する分散液（Ｉ）を調製する。
（５）上記界面活性剤を担持させた噴霧乾燥粒子に、分散液（Ｉ）を、噴霧等の方法により添加する〔工程（Ｉ）〕。
（６）更に、分散液（Ｉ）を添加した噴霧乾燥粒子に、ゼオライト等の表面改質剤を添加して表面改質を行う。
（７）表面改質後の粒子に、（ｅ）成分、（ｆ）成分を、それぞれ造粒物で、更に、酵素、香料等を添加して〔工程（II）〕、最終組成の衣料用粉末洗剤を得る。
【００３７】
本発明の方法により得られた衣料用粉末洗剤は、（ａ）成分が粉末洗剤中に均一に分散し、衣料への付着も均一となる。また、漂白剤を配合した組成においても（ａ）成分の経時安定性が向上するが、これは、（ａ）成分表面が（ｂ）成分で適度に被覆されるためと考えられる。
【実施例】
【００３８】
実施例１
（１）ジャケット付き混合槽に水４０７質量部を入れ、ジャケットに４０℃の温水を通した。これに炭酸ナトリウム〔デンス灰（平均粒径：２９０μｍ）、セントラル硝子（株）製〕１３２質量部、硫酸ナトリウム〔無水中性芒硝（平均粒径：２４０μｍ）、四国化成（株）製〕１３２質量部、亜硫酸ナトリウム〔亜硫酸ソーダ（平均粒径：９０μｍ）、三井東圧（株）製〕５質量部、４０％ポリアクリル酸ナトリウム水溶液〔平均分子量１００００、花王（株）製〕７２質量部、水溶性蛍光増白剤（チノパールＣＢＳ−Ｘ、チバガイギー社製）１質量部、及びゼオライト〔ゼオビルダー社製、４Ａ型、平均粒径：３．５μｍ、東ソー（株）製〕２５２質量部を逐次加え、１５分間攪拌して４０℃の均質な予備スラリーを得た。
（２）次いで、ジャケットに６０℃の温水を通し、３０分間攪拌して予備スラリーの温度を６０℃として本スラリーを得た。得られた本スラリーをポンプで噴霧乾燥塔（向流式）に供給し、塔頂付近に設置した圧力噴霧ノズルから噴霧圧２．５ＭＰａで噴霧を行った。噴霧乾燥塔に供給する高温ガスは塔下部より温度が２１０℃で供給され、塔頂より１０５℃で排出された。得られた噴霧乾燥粒子の水分は４質量％であった。
（３）次いで、得られた噴霧乾燥粒子をレディゲミキサー〔松坂技研（株）製、容量１３０Ｌ、ジャケット付〕に噴霧乾燥粒子を１００質量部投入し、主軸（回転数：６０ｒｐｍ、周速：１．６ｍ／ｓ）の攪拌を開始した。尚、ジャケットに８０℃の温水を１０Ｌ／分で流した。レディゲミキサー内に、８０℃に加温した界面活性剤組成物（ポリオキシエチレンアルキルエーテル／ポリエチレングリコール／ドデシルベンゼンスルホン酸ナトリウム／水＝２１／４／２１／４（質量比））５０質量部を２分間かけて投入し、その後５分間攪拌を行った。ここで、ポリオキシエチレンアルキルエーテルとしては、花王（株）製のエマルゲン１０８ＫＭ（エチレンオキサイド平均付加モル数：８．５、アルキル鎖の炭素数：１２〜１４）を用いた。ポリエチレングリコールとしては、花王（株）製のＫ−ＰＥＧ６０００（平均分子量：８５００）を用いた。
（４）次いでポリエチレングリコール（重量平均分子量１３０００、融点６４℃）６０質量部、ジモルホリノ型（スチルベン型）蛍光染料（マクテシム社  ＢＲＹ−１０）１０質量部、およびビフェニル型蛍光染料（チバスペシャリティーケミカルス社  チノパールＣＳＢ−Ｘ）１０質量部、水３０質量部を予備混合し、Ｔ．Ｋ．ホモミックラインミルＳ型（特殊機化工業株式会社製）を回転数３６００ｒｐｍ、クリアランス０．４ｍｍで通して高分散して得られたポリエチレングリコール／蛍光増白剤分散液２．５質量部をレディゲミキサー中に噴霧し、１０分間の混合を行った。なお、ポリエチレングリコール／蛍光染料は予備混合槽、ラインミキサーのジャケット温度をコントロールすることにより、最終的な液温を約８０℃となるように調整した。
（５）次いでゼオライト（ゼオビルダー社製、４Ａ型、平均粒径：３．５μｍ）を添加し、レディゲミキサーを用いて攪拌することにより、表面改質を行った。その後、ロータリーキルンを用いて酵素（ノボザイムズ社  カンナーゼ２４Ｔ）、特開２０００−２５６６９９号公報記載の過炭酸ナトリウム造粒物、特開２０００−２５６６９９号記載のラウロイルオキシベンゼンスルホン酸ナトリウム造粒物、及び香料をブレンドし、最終衣料用粉末洗剤を得た。
比較例１
実施例１において、（４）での分散液に蛍光増白剤を配合せず、０．２質量部のジモルホリノ型（スチルベン型）蛍光染料（マクテシム社  ＢＲＹ−１０）、および０．２質量部のビフェニル型蛍光染料（チバスペシャリティーケミカルス社  チノパールＣＳＢ−Ｘ）を、粉末でレディゲミキサー中に投入し、他は同様にして最終衣料用粉末洗剤を得た。
比較例２
実施例１において、（４）でのポリエチレングリコールとして、重量平均分子量１５００（融点４６℃）のものを用い、且つ分散液を１．４質量部用いた以外は同様にして、最終衣料用粉末洗剤を得た。
比較例３
実施例１において、（４）でのポリエチレングリコールに代えて、ポリオキシエチレンアルキルエーテル〔花王（株）製のエマルゲン１０８ＫＭ（エチレンオキサイド平均付加モル数：８．５、アルキル鎖の炭素数：１２〜１４、融点１８℃）〕を用い、且つ分散液を１．４質量部用いた以外は同様にして、最終衣料用粉末洗剤を得た。
＜評価＞
ＪＩＳ−Ｚ０２０８により測定される透湿度が２０〜３０ｇ／ｍ2・２４時間の板紙を用い、長さ×幅×高さ＝１４５ｍｍ×９０ｍｍ×５７ｍｍの上部が開放した箱型容器を作成した。この容器に、上記実施例又は比較例で得られた衣料用粉末洗剤を３００ｇ充填した。その後、上部が開放した状態で、温度５０℃、相対湿度７０％の恒温恒湿室に１６８時間保存した。保存後、容器内部の衣料用粉末洗剤が固化している場合には、粒子同志の固結を十分に解し、均質となるように十分に混合を行った。
【００３９】
保存前又は保存後の衣料用粉末洗剤０．６６７ｇを、２０℃に調整した１Ｌの４°ＤＨ硬水に溶解し、ターゴトメータ中に投入した。予めクロロホルム／エタノールで十分に蛍光染料を除去した１０ｃｍ×１０ｃｍの＃２０２３試験布（綿１００％、谷頭商店）５枚を投入し、１００ｒｐｍで洗浄を行った。次いで、試験布を取り出し、ターゴトメータの別のビーカーに２０℃、４°ＤＨの硬水を投入し、そこに洗浄後の試験布を投入し、３分間すすぎを行った。試験布を暗室にて１２時間乾燥し、日本電色工業（株）分光色彩・白度計ＰＦ−１０を用いて蛍光強度（ＩＦ値）を測定した。結果を表１に示す。
【００４０】
【表１】
2005146101.tif 000004